(57)【要約】【課題】  アナログ回線用として設計されている電話会議用スピーカーホンを、ビジネスホンを設置している事業所で使用することができる接続用アダプタを提供する。【解決手段】  会議用スピーカーホンのマイク入力端子およびスピーカー出力端子と接続するための接続用コネクタと、ビジネスホンの子機の受話器の受話器用ジャックまたはパソコンの音声入出力用ジャックと接続するための回線用コネクタと、前記接続用コネクタと回線用コネクタとの間の接続関係を切り替えるための切替え装置とから構成される。【選択図】  図２
0003135322.tif 000002
【実用新案登録請求の範囲】
【請求項１】
音声アナログ信号を入力するための外部マイク入力端子と、音声アナログ信号を出力するための外部スピーカー出力端子とを有するアナログ電話回線用の電話会議用スピーカーホンを、ビジネスホンの構内回線に接続するためのアダプタであって、
会議用スピーカーホンのマイク入力端子およびスピーカー出力端子と接続するための接続用コネクタと、ビジネスホンの子機の受話器の受話器用ジャックまたはパソコンの音声入出力用ジャックと接続するための回線用コネクタと、前記接続用コネクタと回線用コネクタとの間の接続関係を切り替えるための切替え装置とから構成される、接続用アダプタ。
【請求項２】
前記接続用コネクタと切替え装置との間には入力信号および出力信号をそれぞれ独立して増幅または減衰するための一対の増幅／減衰器が介在される、請求項１に記載の接続用アダプタ。
【請求項３】
前記切替え装置は一対の増幅／減衰器が使用されないときに該増幅／減衰器を迂回して接続させるためのバイパス用スイッチを含む、請求項２に記載の接続用アダプタ。
【請求項４】
前記切替え装置はディップスイッチである、請求項１、２または３に記載の接続用アダプタ。
【考案の詳細な説明】
【技術分野】
【０００１】
本考案は、電話回線やインターネット等の通信回線を介して会議を行うための電話会議用スピーカーホンに用いる回線接続のためのアダプタに関する。
【背景技術】
【０００２】
昨今、通信回線を介して会議を行う、所謂、電話会議を行うことは技術的に珍しいものではなくなっている。しかしながら、電話会議を行うためには、通常、専用回線を引く必要があり、また、複雑な信号処理を行うことができる高価なデジタル構内交換装置を設置する必要があり、普及を阻害する要因となっていた（例えば、特許文献１参照）。
【０００３】
このような状況を打破する手段として、汎用の通信回線を用いて電話会議を行うための電話会議用スピーカーホンが提案されている（例えば、非特許文献１参照）。この電話会議用スピーカーホンは、アナログ通信回線（ＩＳＤＮ回線におけるように、モデムやターミナルアダプタを介してデジタル通信回線に接続する場合を含む。）に接続して使用する、所謂、アナログ通信回線用として用意されている。
【０００４】
一方、小規模の事業所内向けの構内交換装置として、多機能型電話機を使用できる小規模構内交換装置（以下、これを「ビジネスホン」と言う。）が普及している。このビジネスホンは、主装置と子機から構成され、多機能を実現するために音声信号以外の制御信号等もまた主装置と子機との間で送受される。また、子機とその子機の受話器との間は、送話用と、受話用と、送話用のアース用と、受話用のアース用の合計４本の導線で接続されているが、それらの導線のコネクタ接続位置は、各社或いは各機種により異なっている。
【０００５】
このため、ビジネスホンを設置している事業所で電話会議用スピーカーホンを使用しようするには、アナログ通信回線を別途に用意する必要があり、電話会議システムの導入を阻害する大きな要因となっていた。
【特許文献１】特開２００１−２０３８１５号公報
【非特許文献１】松下電器のホームページ「会議用スピーカーホン（meeting phone）」URL: http://panasonic.biz/netsys/speakerphone/index.html
【考案の開示】
【考案が解決しようとする課題】
【０００６】
本考案は、アナログ回線用として設計されている電話会議用スピーカーホンを、ビジネスホンを設置している事業所で使用することができる接続用アダプタを提供しようとするものである。
【０００７】
本考案はまた、各電話会議用スピーカーホンにおける回線の接続端子位置の違いに対応でき、また、各電話会議用スピーカーホンにおける入出力インピーダンス等の違いにより生じる虞のある送話および受話の音量を調節できる接続用アダプタを提供しようとするものである。
【課題を解決するための手段】
【０００８】
本考案による接続用アダプタは、音声アナログ信号を入力するための外部マイク入力端子と、音声アナログ信号を出力するための外部スピーカー出力端子とを有するアナログ電話回線用の電話会議用スピーカーホンを、ビジネスホンの構内回線に接続するためのアダプタである。そして、電話会議用スピーカーホンのマイク入力端子およびスピーカー出力端子と接続するための接続用コネクタと、ビジネスホンの子機の受話器の受話器用ジャックまたはパソコンの音声入出力用ジャックと接続するための回線用コネクタと、前記接続用コネクタと回線用コネクタとの間の接続関係を切り替えるための切替え装置とから構成される。
【０００９】
本考案による接続用アダプタは、接続用コネクタと切替え装置との間に、入力信号および出力信号をそれぞれ独立して増幅または減衰するための一対の増幅／減衰器を介在することもできる。また、一対の増幅／減衰器が使用されないときに該増幅／減衰器を迂回して接続させるためのバイパス用スイッチを切替え装置に備えることもできる。さらに、切替え装置としてディップスイッチを用いることもできる。
【考案の効果】
【００１０】
本考案によれば、アナログ信号が入出力されるビジネスホンの子機の受話器に設けられた受話器用ジャックを回線の入出力端子として使用するため、アナログ電話回線用の電話会議用スピーカーホンをビジネスホンを設置した事業所で使用でき、また、パソコンの音声入出力用ジャックを回線の入出力端子として使用することによって、スカイプ（商標）で代表されるようなＰ２Ｐ技術を応用したＩＰ電話回線を用いた電話会議をも可能にする。
【考案を実施するための最良の形態】
【００１１】
本考案の実施例による電話会議用スピーカーホンのための接続用アダプタ１は、図１に示すように、アナログ回線用に設計され製造された市販の電話会議用スピーカホン２を、多機能型電話機を使用できるビジネスホンの主装置（図示なし）に接続された子機３を介して外部の電話回線或いはビジネスホンにより構成される構内回線に接続する。
【実施例１】
【００１２】
本考案の実施例による接続用アダプタ１の構成は、図２に示すように、電話会議用スピーカーホン２に設けられた増設用のマイク入力端子およびスピーカー出力端子（図示の場合、３Ｐコネクタを用いることにより、１つの増設用端子２１として用意されている。）に挿入して接続するための接続用コネクタ１１と、子機３に設けられた受話器３１を接続するための受話器用ジャック３２に挿入して接続するための回線用コネクタ１２と、接続用コネクタ１１と回線用コネクタ１２の間に介在される切替え装置１３とから構成される。
【００１３】
接続用コネクタ１１は、図示の場合、３Ｐプラグが使用されており、プラグ先端のチップ部１１１に接続された端子Ｐ１１と、チップ部１１１に隣接して配置されたリング部１１２に接続された端子Ｐ１２と、リング部１１２に隣接して配置されたスリーブ部１１３に接続された端子Ｐ１３とを備えている。本考案の説明において、錯綜による誤解を避けるため、一般的に使用形態である、端子Ｐ１１がマイク入力用端子、端子Ｐ１２がスピーカー出力用端子、そして、端子Ｐ１３が共通アースとして使用する場合について説明する。ここにおいて、至当の如く、接続用コネクタ１１は、接続しようとする電話会議用スピーカホン２に応じて、マイク入力端子用とスピーカー出力端子用とを別々に用意したり、或いは、変換アダプタ（図示なし）を用いて分岐させることも可能である。
【００１４】
回線用コネクタ１２は、一般的に、子機３の受話器用ジャック３２が４Ｐモジュラージャックを用いているため、本考案の説明において、４Ｐモジュラープラグを用いた場合について説明する。回線用コネクタ１２の各端子Ｐ２１〜Ｐ２４にそれぞれ対応する受話器用ジャック３２の各端子Ｐ３１〜Ｐ３４は、図３（Ａ）〜（Ｃ）に例示するように、接続しようとするビジネスホンの機種によってその接続先が異なる。例えば、松下電器製のビジネスホンの場合、図３の（Ａ）に示すように、端子Ｐ３１が送話信号用（音声信号入力用）端子（Ｔ）、端子Ｐ３２が受話信号用（音声信号出力用）端子（Ｒ）、端子Ｐ３３が受話信号用アース端子（ＲＧ）、端子Ｐ３４が送話信号用アース端子（ＴＧ）となっているのに対し、ＮＥＣ製の電話会議用スピーカーホンでは、図３の（Ｂ）に示すように、端子Ｐ３１：ＴＧ、端子Ｐ３２：ＲＧ、端子Ｐ３３：Ｒ、端子Ｐ３４：Ｔであり、また、Ｃｉｓｃｏ製の電話会議用スピーカーホンでは、図３の（Ｂ）に示すように、端子Ｐ３１：ＲＧ、端子Ｐ３２：ＴＧ、端子Ｐ３３：Ｔ、端子Ｐ３４：Ｒであるように、使用するビジネスホンによって接続関係が異なっている。このため、本考案の接続用アダプタ１では、切替え装置１３によって、接続用コネクタ１１の端子Ｐ１１（マイク入力用端子）が回線用コネクタ１２の受話信号用（音声信号出力用）端子（Ｒ）に、端子Ｐ１２（スピーカー出力用端子）が送話信号用（音声信号入力用）端子（Ｔ）、そして、端子Ｐ１３（共通アース）が受話信号用アース端子（ＲＧ）および送話信号用アース端子（ＴＧ）にそれぞれ接続されるように切り替えることにより、異なる接続関係を整合させる。
【００１５】
切替え装置１３は、整合のための切り替え操作を簡便かつ確実に行うために、ディップスイッチ１３１を備えている。ディップスイッチ１３１は、接続用コネクタ１１の各端子Ｐ１１〜Ｐ１３と、回線用コネクタ１２の各端子Ｐ２１〜Ｐ２４との間の接続関係を整合するためのスイッチと、受話音量を調節するために設けられたアッテネータ１３２をオン・オフするためのスイッチを備えている。
【００１６】
接続関係の整合に用いられるスイッチの各接点間における接続は、接続用コネクタ１１と回線用コネクタ１２との間の接続関係を所要の関係に切り替えることができるのであれば、どのようにも配線することができるので、その詳細についての説明は割愛するが、一例として、図示のように配線することで対応できる。
【００１７】
上述の如く構成される本考案の電話会議用スピーカーホンのための接続用アダプタ１は、接続用コネクタ１１を電話会議用スピーカーホン２の増設用端子２１に接続すると共に、回線用コネクタ１２をビジネスホンの子機３の受話器用ジャック３２に接続する。その一方で、使用する電話会議用スピーカーホンおよびビジネスホンの種類により決定される接続用コネクタ１１と回線用コネクタ１２との間の接続関係を、ディップスイッチ１３１の接続関係整合用のスイッチをオン・オフに切り替えて設定することにより整合させる。また、必要ならば、アッテネータ用のスイッチをオン・オフして受話音量を調節する。
【００１８】
かくして、ビジネスホンの子機３を用いて所用の相手先へ接続し、電話会議用スピーカーホン２の増設用端子２１から入出力されるアナログ信号であるスピーカー出力信号およびマイク入力信号を、送話用信号および受話用信号としてビジネスホンの子機３の受話器用ジャック３２から入出力させることにより、ビジネスホンを設置している事業所であっても、新たにアナログ回線を引くことなしに、アナログ回線用の電話会議用スピーカーホンを用いて電話会議を行うことができる。
【実施例２】
【００１９】
図４は、本考案の別の実施例による接続用アダプタ１を示し、前記実施例において述べた切替え装置１３の受話音量調節用アッテネータ１３２の代わりに増幅器１３３，１３４を備えていることを除き、前記実施例と同様に構成される。冗長を避けるため、前記実施例と同様な構成についての説明は割愛する。
【００２０】
本実施例における特徴である増幅器は２組用意されており、一方の増幅器１３３は、接続用コネクタ１１の端子Ｐ１１（マイク入力用端子）と、回線用コネクタ１２の受話信号用（音声信号出力用）端子（Ｒ）との間に、他方の増幅器１３４は、端子Ｐ１２（スピーカー出力用端子）と、送話信号用（音声信号入力用）端子（Ｔ）との間に、それぞれ介在して受話音量および送話音量を独立して調整できるようにそれぞれ配置される。各増幅器１３３，１３４は、前記実施例におけるアッテネータ１３２の場合と同様に、ディップスイッチ１３１に用意された増幅器制御用のスイッチをオン・オフすることによりその作動をそれぞれ制御される。また、各増幅器１３３，１３４は増幅量を調節するためのボリュームＲ１，Ｒ２をそれぞれ備えており、必要に応じて音量を調節する。
【００２１】
受話用と送話用に増幅器１３３，１３４をそれぞれ用意していることにより、電話会議用スピーカーホンやビジネスホンの機種により異なる入出力信号の規格に対応することが可能になり、受話音量不足によって相手方の話が聞こえなかったり、送話音量不足によってこちらの話が相手方に届かない等の現象が生じるのを回避できる。ここにおいて、必要ならば、音量減衰のためのアッテネータを備えてもよく、また、ディップスイッチ１３１に極性切替え用のスイッチを追加することも可能である。
【産業上の利用可能性】
【００２２】
ビジネスホンの子機３の代わりに、パソコンの音声入出力端子に接続することにより、Ｐ２Ｐ技術を応用してＩＰ電話回線を使用し、電話会議を行うこともできる。この場合、回線用コネクタ１２は、使用するパソコンのマイク入力ジャックとスピーカー出力ジャックに接続されるように構成される。
【図面の簡単な説明】
【００２３】
【図１】本考案の実施例による電話会議用スピーカーホンのための接続用アダプタの使用状態を説明するための概要図である。
【図２】本考案の実施例による電話会議用スピーカーホンのための接続用アダプタの構成を示す模式的な図である。
【図３】受話器用ジャックの端子の接続関係を説明するための図である。
【図４】本考案の別の実施例による電話会議用スピーカーホンのための接続用アダプタの構成を示す図２と同様な図である。
【符号の説明】
【００２４】
１    接続用アダプタ                      ２    電話会議用スピーカホン
３    （ビジネスホンの）子機
１１    接続用コネクタ                    １２    回線用コネクタ
１３    切替え装置
２１    増設用端子
３１    受話器                            ３２    受話器用ジャック
１１１    チップ部                        １１２    リング部
１１３    スリーブ部
１３２    アッテネータ                    １３３，１３４    増幅器
Ｐ１１〜Ｐ１３    （接続用コネクタの）端子
Ｐ２１〜Ｐ２４    （回線用コネクタの）端子
Ｐ３１〜Ｐ３４    （受話器用ジャックの）端子
Ｒ１，Ｒ２    （音量調節用）ボリューム
Ｒ    受話信号用（音声信号出力用）端子
ＲＧ    受話信号用アース端子
Ｔ    送話信号用（音声信号入力用）端子
ＴＧ    送話信号用アース端子
【図１】
0003135322.tif 000003
【図２】
0003135322.tif 000004
【図３】
0003135322.tif 000005
【図４】
0003135322.tif 000006